(57)【要約】  【課題】  ユーザの個人情報の入力操作を簡単化すると共に、視聴制限を行うパレンタル機能の信頼性を高めることができる光ディスク再生装置を提供する。  【解決手段】  情報判定部５により光ディスクが年齢制限付きと判定された場合、情報読取部７により読み取られた運転免許証情報の年齢が、制限年齢の範囲内であれば再生許可信号が出力され、範囲外であれば再生無効信号が出力される。再生制御部５に再生許可信号が入力されたとき、信号再生部２からの情報が出力されて通常の再生処理が行われ、一方、再生制御部５に再生無効信号が入力されたとき、信号再生部２からの情報は出力されず、再生無効処理が行われる。情報読取部７により、ユーザの個人情報を入力する入力操作が簡単化すると共に、運転免許証による個人情報を用いるので、個人情報が外部に洩れることが無くなり、パレンタル機能の信頼性が高まる。【選択図】      図１
2005085371.tif 000002
【特許請求の範囲】
【請求項１】
光ディスクに記録された情報を再生する光ディスク再生装置において、光ディスクから
読み出した信号を再生処理して情報を出力する信号再生手段と、運転免許証情報を読み取
る情報読取手段と、再生しようとする当該光ディスクが年齢制限付きと判定された場合に
、前記情報読取手段により読み取られた運転免許証情報の年齢と当該光ディスクの制限年
齢とを比較し、前記運転免許証情報の年齢が前記制限年齢の範囲内であれば再生許可信号
を出力し、前記運転免許証情報の年齢が前記制限年齢の範囲外であれば再生無効信号を出
力する情報判定手段と、前記再生許可信号を入力したとき前記信号再生手段からの情報を
出力して通常の再生処理を行い、前記再生無効信号を入力したとき前記信号再生手段から
の情報を出力せずに再生無効処理を行う再生制御手段とを備え、また、個人情報を記憶手
段に予め記憶しておき、生年月日・氏名を含む個人情報により視聴者を限定したい情報が
記録された光ディスクがあった場合、前記情報読取手段により読み取られた運転免許証の
個人情報が前記記憶手段に記憶されている個人情報に含まれているか否かを検出して、前
記読み取られた運転免許証の個人情報は読み込めたか否かを判定する個人情報読込み判定
手段を更に備え、前記読み取られた運転免許証の個人情報が読み込めたと判定された場合
に、前記情報判定手段の処理に移ることを特徴とする光ディスク再生装置。
【請求項２】
光ディスクに記録された情報を再生する光ディスク再生装置において、個人情報を示す
個人情報証の少なくとも年齢を読み取る情報読取手段と、前記情報読取手段により読み取
られた個人情報証の年齢と再生しようとする光ディスクの制限年齢とを比較し、前記個人
情報証の年齢が前記制限年齢の範囲内であれば再生許可信号を出力し、前記個人情報証の
年齢が前記制限年齢の範囲外であれば再生無効信号を出力する情報判定手段と、前記再生
許可信号を入力したとき通常の再生処理を行い、前記再生無効信号を入力したとき再生無
効処理を行う再生制御手段とを備えたことを特徴とする光ディスク再生装置。
【請求項３】
光ディスクに記録された情報を再生する光ディスク再生装置において、光ディスクから
読み出した信号を再生処理して情報を出力する信号再生手段と、運転免許証情報を読み取
る情報読取手段と、再生しようとする当該光ディスクが年齢制限付きと判定された場合に
、前記情報読取手段により読み取られた運転免許証情報の年齢と当該光ディスクの制限年
齢とを比較し、前記運転免許証情報の年齢が前記制限年齢の範囲内であれば再生許可信号
を出力し、前記運転免許証情報の年齢が前記制限年齢の範囲外であれば再生無効信号を出
力する情報判定手段と、前記再生許可信号を入力したとき前記信号再生手段からの情報を
出力して通常の再生処理を行い、前記再生無効信号を入力したとき前記信号再生手段から
の情報を出力せずに再生無効処理を行う再生制御手段とを備えたことを特徴とする光ディ
スク再生装置。
【請求項４】
個人情報を記憶手段に予め記憶しておき、生年月日・氏名を含む個人情報により視聴者
を限定したい情報が記録された光ディスクがあった場合、前記情報読取手段により読み取
られた運転免許証の個人情報が前記記憶手段に記憶されている個人情報に含まれているか
否かを検出して、前記読み取られた運転免許証の個人情報は読み込めたか否かを判定する
個人情報読込み判定手段を備え、前記読み取られた運転免許証の個人情報が読み込めたと
判定された場合に、前記情報判定手段の処理に移ることを特徴とする請求項３に記載の光
ディスク再生装置。
【発明の詳細な説明】
【技術分野】
【０００１】
本発明は、光ディスクに記録された情報を再生する光ディスク再生装置に関し、特に、
視聴制限を行うパレンタル機能を有する光ディスク再生装置に関する。
【背景技術】
【０００２】
近年、ＤＶＤ（Digital Versatile Disk）などの光ディスクが普及しつつあり、このＤ
ＶＤにはデジタル圧縮された映像情報および音声情報が記録されている。ところで、ＤＶ
Ｄに記録されている映画などには、暴力シーンやわいせつシーンなど、子供の教育上好ま
しくないシーンが含まれていることが多い。そこで、近年、このような教育上問題のある
シーンについては、その再生に対して何らかの視聴制限の規制が設けられている。このよ
うな規制をパレンタルと呼び、ＤＶＤなどの光ディスクには内容に応じて視聴制限を行う
パレンタルレベルが予め設定されている。
【０００３】
一方、ＤＶＤなどの光ディスクの情報を再生する光ディスク再生装置では、光ディスク
の情報の再生を制限するパレンタル機能を有し、ユーザにより設定された装置のパレンタ
ルレベルがメモリに記憶されている。例えば、パレンタルレベルが低い方から順番に１，
２，３，４，５，６，７，８のレベルがあり、装置のパレンタルレベルが５に設定されて
いる場合、光ディスクではパレンタルレベル５以下の情報が再生できるが、パレンタルレ
ベル６，７，８の情報は再生することができないようになっている。
【０００４】
装置のパレンタルレベルは、ユーザが光ディスク再生装置のリモートコントローラなど
を操作して任意に設定できるようになっている。また、装置のパレンタルレベルを変更す
るときは、ユーザが予め登録した数桁の数列からなる暗証番号をパスワードとして装置に
入力し、パレンタルロックを解除してパレンタルレベルの変更を行っている。
【特許文献１】特開平５−３５９３４号公報
【特許文献２】特開２００１−２６８５１０号公報
【発明の開示】
【発明が解決しようとする課題】
【０００５】
しかしながら、従来の光ディスク再生装置においては、視聴制限を行うパレンタルレベ
ルが設定されている光ディスク、即ち、視聴の年齢制限がある光ディスクの情報を再生す
るのに、視聴権限を有するユーザが自分のパスワードを入力しなければならないので、そ
の入力操作が面倒であり、また、家庭内などにおいて、視聴権限を有するユーザがパスワ
ードの入力操作を行っているときに、視聴権限を有しない子供が、そのパスワードを見て
覚えたりすると、後で、その子供が、そのパスワードを入力すれば、その光ディスクの情
報を再生することが可能になり、したがって、視聴の年齢制限がある光ディスクであって
も自由に視聴することができ、パレンタル機能の信頼性が劣るという課題が生じる。
【０００６】
なお、特許文献１，２の従来技術も同様、ユーザが自分のパスワードを入力して、年齢
制限のある光ディスクの情報を再生するように構成されているので、上記のような課題を
解決できるものではない。
【０００７】
本発明は、上記のような課題を解決するためになされたもので、ユーザの個人情報の入
力操作を簡単化すると共に、視聴制限を行うパレンタル機能の信頼性を高めることができ
る光ディスク再生装置を提供することを目的とする。
【課題を解決するための手段】
【０００８】
上記目的を達成するために、請求項１の発明は、光ディスクから読み出した信号を再生
処理して情報を出力する信号再生手段と、運転免許証情報を読み取る情報読取手段と、再
生しようとする当該光ディスクが年齢制限付きと判定された場合に、前記情報読取手段に
より読み取られた運転免許証情報の年齢と当該光ディスクの制限年齢とを比較し、前記運
転免許証情報の年齢が前記制限年齢の範囲内であれば再生許可信号を出力し、前記運転免
許証情報の年齢が前記制限年齢の範囲外であれば再生無効信号を出力する情報判定手段と
、前記再生許可信号を入力したとき前記信号再生手段からの情報を出力して通常の再生処
理を行い、前記再生無効信号を入力したとき前記信号再生手段からの情報を出力せずに再
生無効処理を行う再生制御手段とを備え、また、運転免許証の個人情報を記憶手段に予め
記憶しておき、生年月日・氏名を含む個人情報により視聴者を限定したい情報が記録され
た光ディスクがあった場合、前記情報読取手段により読み取られた運転免許証の個人情報
が前記記憶手段に記憶されている個人情報に含まれているか否かを検出して、前記読み取
られた運転免許証の個人情報は読み込めたか否かを判定する個人情報読込み判定手段を更
に備え、前記読み取られた運転免許証の個人情報が読み込めたと判定された場合に、前記
情報判定手段の処理に移ることを特徴とする光ディスク再生装置を提供する。
【０００９】
この構成において、当該光ディスクに対する再生処理が開始し、情報判定手段により、
当該光ディスクが年齢制限付きと判定された場合に、情報読取手段により読み取られた運
転免許証情報の年齢と当該光ディスクの制限年齢とが比較され、前記運転免許証情報の年
齢が前記制限年齢の範囲内であれば再生許可信号が出力され、前記運転免許証情報の年齢
が前記制限年齢の範囲外であれば再生無効信号が出力される。そして、再生制御手段に前
記再生許可信号が入力されたとき、信号再生手段からの情報が出力されて通常の再生処理
が行われ、一方、前記再生制御手段に前記再生無効信号が入力されたとき、前記信号再生
手段からの情報は出力せず、再生無効処理が行われる。
【００１０】
また、生年月日・氏名を含む個人情報により視聴者を限定したい情報が記録された光デ
ィスクがあった場合は、個人情報読込み判定手段において、前記情報読取手段により読み
取られた運転免許証の個人情報が、記憶手段に記憶されている個人情報に含まれているか
否かが検出されることによって、前記読み取られた運転免許証の個人情報は読み込めたか
否かが判定される。
【００１１】
即ち、前記情報読取手段により読み取られた運転免許証の個人情報が、前記記憶手段に
記憶されている個人情報に含まれている場合は、前記読み取られた運転免許証の個人情報
は読み込み可能になるので、その個人情報は読み込まれる。そして、前記読み取られた運
転免許証の個人情報が読み込めたと判定された場合は、前記情報判定手段の処理に移る。
一方、前記情報読取手段により読み取られた運転免許証の個人情報が、前記記憶手段に記
憶されている個人情報に含まれていない場合は、前記読み取られた運転免許証の個人情報
は読み込み不可能になるので、その個人情報は読み込まれず、再生無効処理に移る。
【００１２】
この構成によれば、情報読取手段により、ユーザの個人情報を入力する入力操作が簡単
化すると共に、運転免許証による個人情報を用いるので、個人情報が外部に洩れることが
無くなり、パレンタル機能の信頼性が高まる。
【００１３】
また、生年月日・氏名を含む個人情報により視聴者を限定したい情報が記録された光デ
ィスクがあった場合も、運転免許証の個人情報を用いるので、個人情報が外部に洩れるこ
とが無くなり、パレンタル機能の信頼性が高まる。また、生年月日・氏名を含む運転免許
証の個人情報を用いることにより、視聴者を限定することができる。
【００１４】
請求項２の発明は、光ディスクに記録された情報を再生する光ディスク再生装置におい
て、個人情報を示す個人情報証の少なくとも年齢を読み取る情報読取手段と、前記情報読
取手段により読み取られた個人情報証の年齢と再生しようとする光ディスクの制限年齢と
を比較し、前記個人情報証の年齢が前記制限年齢の範囲内であれば再生許可信号を出力し
、前記個人情報証の年齢が前記制限年齢の範囲外であれば再生無効信号を出力する情報判
定手段と、前記再生許可信号を入力したとき通常の再生処理を行い、前記再生無効信号を
入力したとき再生無効処理を行う再生制御手段とを備えたことを特徴とする光ディスク再
生装置を提供する。
【００１５】
この構成において、当該光ディスクに対する再生処理が開始し、当該光ディスクが年齢
制限付きと判定された場合に、情報読取手段により読み取られた個人情報証の年齢と当該
光ディスクの制限年齢とが比較され、前記個人情報証の年齢が前記制限年齢の範囲内であ
れば再生許可信号が出力され、前記個人情報証の年齢が前記制限年齢の範囲外であれば再
生無効信号が出力される。そして、再生制御手段に前記再生許可信号が入力されたとき、
通常の再生処理が行われ、一方、前記再生制御手段に前記再生無効信号が入力されたとき
、再生無効処理が行われる。
【００１６】
この構成によれば、情報読取手段により、ユーザの個人情報を入力する入力操作が簡単
化すると共に、個人情報証による個人情報を用いるので、個人情報が外部に洩れることが
無くなり、パレンタル機能の信頼性が高まる。
【００１７】
請求項３の発明は、光ディスクから読み出した信号を再生処理して情報を出力する信号
再生手段と、運転免許証情報を読み取る情報読取手段と、再生しようとする当該光ディス
クが年齢制限付きと判定された場合に、前記情報読取手段により読み取られた運転免許証
情報の年齢と当該光ディスクの制限年齢とを比較し、前記運転免許証情報の年齢が前記制
限年齢の範囲内であれば再生許可信号を出力し、前記運転免許証情報の年齢が前記制限年
齢の範囲外であれば再生無効信号を出力する情報判定手段と、前記再生許可信号を入力し
たとき前記信号再生手段からの情報を出力して通常の再生処理を行い、前記再生無効信号
を入力したとき前記信号再生手段からの情報を出力せずに再生無効処理を行う再生制御手
段とを備えたことを特徴とする光ディスク再生装置を提供する。
【００１８】
この構成において、当該光ディスクに対する再生処理が開始し、情報判定手段により、
当該光ディスクが年齢制限付きと判定された場合に、情報読取手段により読み取られた運
転免許証情報の年齢と当該光ディスクの制限年齢とが比較され、前記運転免許証情報の年
齢が前記制限年齢の範囲内であれば再生許可信号が出力され、前記運転免許証情報の年齢
が前記制限年齢の範囲外であれば再生無効信号が出力される。再生制御手段に前記再生許
可信号が入力されたとき、信号再生手段からの情報が出力されて通常の再生処理が行われ
、一方、前記再生制御手段に前記再生無効信号が入力されたとき、前記信号再生手段から
の情報は出力せず、再生無効処理が行われる。
【００１９】
この構成によれば、情報読取手段により、ユーザの個人情報を入力する入力操作が簡単
化すると共に、運転免許証による個人情報を用いるので、個人情報が外部に洩れることが
無くなり、パレンタル機能の信頼性が高まる。
【００２０】
請求項４の発明では、請求項３の発明の光ディスク再生装置において、個人情報を記憶
手段に予め記憶しておき、生年月日・氏名を含む個人情報により視聴者を限定したい情報
が記録された光ディスクがあった場合、前記情報読取手段により読み取られた運転免許証
の個人情報が前記記憶手段に記憶されている個人情報に含まれているか否かを検出して、
前記読み取られた運転免許証の個人情報は読み込めたか否かを判定する個人情報読込み判
定手段を備え、前記読み取られた運転免許証の個人情報が読み込めたと判定された場合に
、前記情報判定手段の処理に移るようになっている。
【００２１】
この構成によれば、生年月日・氏名を含む個人情報により視聴者を限定したい情報が記
録された光ディスクがあった場合も、運転免許証の個人情報を用いるので、個人情報が外
部に洩れることが無くなり、パレンタル機能の信頼性が高まる。また、生年月日・氏名を
含む運転免許証の個人情報を用いることにより、視聴者を限定することができる。
【発明の効果】
【００２２】
以上のように本発明によれば、ユーザの個人情報を入力する入力操作が簡単化すると共
に、個人情報証である例えば運転免許証の個人情報を用いるので、個人情報が外部に洩れ
ることが無くなり、パレンタル機能の信頼性が高まる。また、生年月日・氏名を含む個人
情報により、視聴者を限定したい情報が記録された光ディスクがあった場合も、運転免許
証の個人情報を用いるので、個人情報が外部に洩れることが無くなり、パレンタル機能の
信頼性が高まる。また、生年月日・氏名を含む運転免許証の個人情報を用いることにより
、視聴者を限定することができる。
【発明を実施するための最良の形態】
【００２３】
以下、添付図面を参照しつつ、本発明の実施の形態について説明する。図１は本発明の
一実施形態に係る光ディスク再生装置の構成を示すブロック図である。
【００２４】
この光ディスク再生装置は、光ディスク１から読み出した信号を再生処理して情報を出
力する信号再生手段としての信号再生部２と、運転免許証情報を読み取る情報読取手段と
しての情報読取部７と、制御プログラムや個人情報などを記憶する記憶手段としてのメモ
リ６とを備えている。
【００２５】
また、この光ディスク再生装置は、再生しようとする当該光ディスクが年齢制限付きと
判定された場合に、情報読取部７により読み取られた運転免許証情報の年齢と当該光ディ
スクの制限年齢とを比較し、前記運転免許証情報の年齢が前記制限年齢の範囲内であれば
再生許可信号を出力し、前記運転免許証情報の年齢が前記制限年齢の範囲外であれば再生
無効信号を出力する情報判定手段と、生年月日・氏名を含む個人情報により視聴者を限定
したい情報が記録された光ディスクがあった場合、情報読取部７により読み取られた運転
免許証の個人情報がメモリ６に記憶されている個人情報に含まれているか否かを検出して
、前記読み取られた運転免許証の個人情報は読み込めたか否かを判定する個人情報読込み
判定手段とを有する情報判定部５を備えている。
【００２６】
また、この光ディスク再生装置は、前記再生許可信号を入力したとき信号再生部５から
の情報を出力して通常の再生処理を行い、前記再生無効信号を入力したとき信号再生部５
からの情報を出力せずに再生無効処理を行う再生制御手段としての再生制御部３を備えて
いる。
【００２７】
図２は本実施形態の光ディスク再生装置における視聴制限機能の動作を説明するための
フローチャートである。このフローチャートを参照して視聴制限機能の動作について説明
する。
【００２８】
この光ディスク再生装置において、再生しようとする光ディスク１が装填され、リモー
トコントローラ（図示せず）などの再生キーが押下されると（ステップＳ１）、信号再生
部２は再生処理を開始する（ステップＳ２）。これにより、光ディスク１からの再生制御
情報が読み出され（ステップＳ３）、情報判定部５において、その再生制御情報に年齢制
限を示すパレンタル情報が含まれているか否かを検索することにより、再生しようとする
光ディスク１は年齢制限付きであるか否かが判定される（ステップＳ４）。
【００２９】
その再生制御信号に年齢制限を示すパレンタル情報が含まれていない場合は、視聴制限
を行う必要がないので、通常の再生処理が行われるが（ステップＳ８）、その再生制御信
号に年齢制限を示すパレンタル情報が含まれており、光ディスク１は年齢制限付きである
と判定された場合は、再生ディスクである光ディスク１は年齢制限付きであることを表示
部（図示せず）に表示する（ステップＳ５）。
【００３０】
そこで、ユーザは自分の運転免許証を情報読取部７で読み取らせるスキャン操作を行い
、情報読取部７が運転免許証情報を読み取ると（ステップＳ６）、次に、その運転免許証
情報の年齢は制限年齢の範囲内であるか否かが情報判定部５により判定される（ステップ
Ｓ７）。この判定の結果、運転免許証情報の年齢が制限年齢の範囲内であれば、情報判定
部５は再生制御部３に対して再生許可信号を出力し、これにより、再生制御部３は信号再
生部２からの情報を出力し、通常の再生処理を行う（ステップＳ８）。
【００３１】
一方、ユーザが運転免許証を情報読取部７で読み取らせるスキャン操作を行わず、運転
免許証情報の読み取りが無かった場合は（ステップＳ６）、情報判定部５は再生制御部３
に対して再生無効信号を出力し、これにより、再生制御部３は信号再生部２からの情報を
出力せずに、再生無効処理を行う（ステップＳ９）。また、ステップＳ７において、運転
免許証情報の年齢が制限年齢の範囲外の場合も、同様な処理により、再生無効処理を行う
（ステップＳ９）。
【００３２】
図３は本実施形態の光ディスク再生装置における視聴制限機能（視聴者を限定する場合
の処理も含む）の動作を説明するためのフローチャートである。このフローチャートを参
照して視聴制限機能の動作について説明する。なお、図３に示すステップにおいて、図２
に示すステップに対応するものには同一のステップ番号を付している。
【００３３】
この光ディスク再生装置において、再生しようとする光ディスク１が装填され、リモー
トコントローラ（図示せず）などの再生キーが押下されると（ステップＳ１）、信号再生
部２は再生処理を開始する（ステップＳ２）。これにより、光ディスク１からの再生制御
情報が読み出され（ステップＳ３）、情報判定部５において、その再生制御情報に年齢制
限を示すパレンタル情報が含まれているか否かを検索することにより、再生しようとする
光ディスク１は年齢制限付きであるか否かが判定される（ステップＳ４）。
【００３４】
その再生制御信号に年齢制限を示すパレンタル情報が含まれていない場合は、視聴制限
を行う必要がないので、通常の再生処理が行われるが（ステップＳ８）、その再生制御信
号に年齢制限を示すパレンタル情報が含まれており、光ディスク１は年齢制限付きである
と判定された場合は、再生しようとする光ディスク１は年齢制限付きであることを表示部
（図示せず）に表示する（ステップＳ５）。
【００３５】
そして、視聴者を限定する場合は（ステップＳ１０）、運転免許証の個人情報を入力す
る（ステップＳ１１）。即ち、ユーザが自分の運転免許証を情報読取部７で読み取らせる
スキャン操作をして、運転免許証に記載された生年月日・氏名などの個人情報を入力する
。そして、情報判定部５において、前記入力された個人情報はメモリ６に予め記録されて
いる個人情報に含まれるか否かが検出され（ステップＳ１２）、含まれている場合は個人
情報を読み込めたと判定する（ステップＳ１３）。なお、ステップＳ１０において視聴者
を限定しない場合は、ステップＳ７に移り、ユーザは年齢制限だけで視聴が制限される。
【００３６】
次に、その運転免許証情報の年齢は制限年齢の範囲内であるか否かが情報判定部５によ
り判定される（ステップＳ７）。この判定の結果、運転免許証情報の年齢が制限年齢の範
囲内であれば、情報判定部５は再生制御部３に対して再生許可信号を出力し、これにより
、再生制御部３は信号再生部２からの情報を出力し、通常の再生処理を行う（ステップＳ
８）。
【００３７】
一方、ユーザが運転免許証を情報読取部７で読み取らせるスキャン操作を行っても、そ
の運転免許証の個人情報がメモリ６に予め記録されている個人情報に含まれておらず（ス
テップＳ１２）、その個人情報を読み込めなかったと判定された場合は（ステップＳ１４
）、情報判定部５は再生制御部３に対して再生無効信号を出力し、これにより、再生制御
部３は信号再生部２からの情報を出力せずに、再生無効処理を行う（ステップＳ９）。ま
た、ステップＳ７において、運転免許証情報の年齢が制限年齢の範囲外の場合も、同様な
処理により、この光ディスク再生装置に対して再生無効処理を行う（ステップＳ９）。
【００３８】
なお、この光ディスク再生装置に備えられる情報読取部７はスキャナユニットにより運
転免許証の個人情報を読み取る構成について説明したが、今後、将来的には運転免許証は
ＩＣカード化され、このＩＣカードに個人を識別する個人情報が保存されるようになった
場合に対処して、情報読取部７にはスキャナユニットに加え、ＩＣカードリーダを装備す
ることにより、更に確実なユーザの認証が可能となり、また、精巧なコピー等による偽造
ＩＣカードの判別も容易になり、パレンタル機能を更に向上させることが可能になる。
【００３９】
したがって、本発明でいう情報読取手段は、現行の運転免許証を読み取る機能だけを備
えた構成、または現行の運転免許証を読み取る機能および今後のＩＣカード化された運転
免許証を読み取る機能を備えた構成、あるいは将来的に運転免許証がＩＣカードで一本化
された場合においてＩＣカード化された運転免許証を読み取る機能だけを備えた構成を概
念的に含んでいるものとする。また、本実施形態では、個人情報証として運転免許証を用
いたものを示したが、これに限らず、ユーザを認識できる健康保険証や、その他、身分を
証明できるものであっても良い。
【００４０】
以上のように本実施形態によれば、ユーザの個人情報を入力する入力操作が簡単化する
と共に、運転免許証の個人情報を用いるので、個人情報が外部に洩れることが無くなり、
パレンタル機能の信頼性が高まる。また、生年月日・氏名を含む個人情報により、視聴者
を限定したい情報が記録された光ディスクがあった場合も、運転免許証の個人情報を用い
るので、個人情報が外部に洩れることが無くなり、パレンタル機能の信頼性が高まる。ま
た、生年月日・氏名を含む運転免許証の個人情報を用いることにより、視聴者を限定する
ことができる。
【図面の簡単な説明】
【００４１】
【図１】本発明の一実施形態に係る光ディスク再生装置の構成を示すブロック図である。
【図２】前記実施形態の光ディスク再生装置における視聴制限機能の動作を説明するためのフローチャートである。
【図３】前記実施形態の光ディスク再生装置における視聴制限機能（視聴者を限定する場合の処理も含む）の動作を説明するためのフローチャートである。
【符号の説明】
【００４２】
１    光ディスク
２    信号再生部（信号再生手段）
３    再生制御部（再生制御部）
５    情報判定部（情報判定手段、個人情報読込み判定手段）
６    メモリ（記憶手段）
７    情報読取部（情報読取手段）
【図１】
2005085371.tif 000003
【図２】
2005085371.tif 000004
【図３】
2005085371.tif 000005